(57)【要約】【課題】  微細なすき入れ要素からなる高精細なすき入れ模様において、透かしインキを用いた偽造防止効果に優れたすき入れ模様を提供する。【解決手段】  本発明は、基材の少なくとも一部に、第１の潜像画像を有する潜像画像形成領域を備え、第１の潜像画像は、第１の画線が第１の方向に万線状に配置されて成り、第１の画線は、基材よりも透過率の高い凹形状の複数の実線部と、実線部の画線長さ方向に隣接し、かつ、隣り合う二つの実線部の間に配置された実線部と透過率の異なる凹又は凸形状の複数の輪郭部から成り、輪郭部により、第１の潜像画像の輪郭の一部が形成され、輪郭部の画線長さＸ１と基材の厚さｈ１の関係は、Ｘ１＜ｈ１×２の式で表される関係を  基材を透過光下で観察すると、輪郭部により形状が鮮明化された第１の潜像画像が視認されることを特徴とする透過潜像画像形成体である。【選択図】  図４
2018012194.tif 000002
【特許請求の範囲】
【請求項１】
基材の少なくとも一部に、第１の潜像画像を有する潜像画像形成領域を備え、
前記第１の潜像画像は、第１の画線が複数配置されて成り、
複数配置された前記第１の画線の少なくとも一つは、前記基材よりも透過率の高い凹形状の複数の実線部と、隣り合う二つの前記実線部の画線長さ方向の間に配置された、前記実線部と透過率の異なる凹又は凸形状の複数の輪郭部から成り、
前記輪郭部により、前記第１の潜像画像の輪郭の一部が形成され、
前記輪郭部の画線長さＸ１と前記基材の厚さｈ１の関係は、下記式（１）で表される関係を満たし、
式：Ｘ１＜ｈ１×２・・・（１）
前記基材を透過光下で観察すると、前記輪郭部により形状が鮮明化された前記第１の潜像画像が視認されることを特徴とする透過潜像画像形成体。
【請求項２】
前記第１の画線は、第１の方向に万線状に配置されていることを特徴とする請求項１記載の透過潜像画像形成体。
【請求項３】
前記複数の輪郭部は、全て同じ画線長さで形成されたことを特徴とする請求項１又は２記載の透過潜像画像形成体。
【請求項４】
前記潜像画像形成領域は、前記第１の画線間に凸形状の第２の画線が前記第１の方向に万線状に配置され、かつ、前記第２の画線の位相が部分的に異なることで潜像部と背景部に区分けされて成る第２の画像を有し、
前記第２の画像上に、前記第２の画線と異なる色の第３の画線が第１の方向に万線状に配置された第３の画像が形成され、
前記潜像部及び／又は前記背景部の前記第２の画線に前記第３の画線が重なることで第２の潜像画像が形成され、
更に、前記基材を傾けて観察すると、前記第２の潜像画像が視認されることを特徴とする請求項１乃至３のいずれか１項記載の透過潜像画像形成体。
【発明の詳細な説明】
【技術分野】
【０００１】
本発明は、複写機を用いた複製防止機能を有する、銀行券、旅券、有価証券等の貴重印刷物に関するものである。
【背景技術】
【０００２】
銀行券、旅券、有価証券等の貴重印刷物は、その性質上、偽造や複製がされにくいことが要求される。この対策として貴重印刷物上に微細画線を印刷したものや、すき入れを施したものが公知である。
【０００３】
本出願人が出願した特許文献１には、微細画線とすき入れを組み合わせた偽造防止技術として、部分的に位相を異ならせることで図柄を表した複数の凸画線上に、印刷万線が付与され、隣り合う凸画線の間に凹形状の微細なすき入れ要素が複数配置されることで、傾けて観察すると潜像画像が視認でき、透過光下で観察すると、すき入れ要素から成るすき入れ模様が視認可能な印刷物を開示している。
【先行技術文献】
【特許文献】
【０００４】
【特許文献１】特開２０１４−１４０９８４号公報
【発明の概要】
【発明が解決しようとする課題】
【０００５】
特許文献１に記載の技術は、傾けて観察した際に視認できる潜像画像に加え、透過光下で観察した際に、異なる潜像画像がすき入れ模様として視認できることで、微細画線とすき入れ模様を単独で用いた構成と比べ、真偽判別性と偽造防止効果が向上した。しかしながら、透過光下で視認される潜像画像に応じて透過光量を上げる加工を施す、例えば、透かしインキを印刷することで、同じような効果の貴重印刷物が偽造される恐れがある。よって、前述した貴重印刷物に施す技術として、さらなる偽造防止効果の向上を図るための対策が望まれる。
【０００６】
そこで、本発明は、前述した課題の解決を目的とするものであり、微細なすき入れ要素からなる高精細なすき入れ模様において、透かしインキを用いた偽造防止効果に優れたすき入れ模様を提供する。
【課題を解決するための手段】
【０００７】
本発明は、基材の少なくとも一部に、第１の潜像画像を有する潜像画像形成領域を備え  第１の潜像画像は第１の画線が複数配置されて成り、複数配置された第１の画線の少なくとも一つは、基材よりも透過率の高い凹形状の複数の実線部と、隣り合う二つの実線部の画線長さ方向の間に配置された、実線部と透過率の異なる凹又は凸形状の複数の輪郭部から成り、輪郭部により第１の潜像画像の輪郭の一部が形成され、輪郭部の画線長さＸ１と基材の厚さｈ１の関係は、次式（１）で表される関係を満たし、式：Ｘ１＜ｈ１×２・・・（１）、基材を透過光下で観察すると、輪郭部により形状が鮮明化された第１の潜像画像が視認されることを特徴とする透過潜像画像形成体である。
【０００８】
また、本発明の透過潜像画像形成体における第１の画線は、第１の方向に万線状に配置されていることを特徴とする。
【０００９】
また、本発明の透過潜像画像形成体における複数の輪郭部は、全て同じ画線長さで形成されたことを特徴とする。
【００１０】
さらに、本発明の透過潜像画像形成体における潜像画像形成領域は、第１の画線間に凸形状の第２の画線が万線状に配置され、かつ、第２の画線の位相が部分的に異なることで潜像部と背景部に区分けされて成る第２の画像を有し、第２の画像上に、第２の画線と異なる色の第３の画線が万線状に配置され、潜像部及び／又は背景部の第２の画線に、第３の画線が重なることで第２の潜像画像が形成され、基材を傾けて観察すると第２の潜像画像が更に視認されることを特徴とする。
【発明の効果】
【００１１】
以上のような、本発明の構成におけるすき入れ模様である透過潜像画像形成体は、透過光下で視認可能となる高精細なすき入れ模様を、実線部と輪郭部から成る破線状の画線で構成される。よって、偽造者が透かしインキを用いてすき入れ模様を再現しようとした場合、透かしインキが輪郭部に滲むことで、実線部と輪郭部から成る破線状の画線が、実線のみの画線となり、すき入れ模様を再現することが不可能となる。よって、従来よりも、透かしインキを用いた偽造防止効果に優れた、高精細なすき入れ模様を形成することが可能となった。
【図面の簡単な説明】
【００１２】
【図１】第一実施形態における透過潜像画像形成体（１）の一例を示す平面図。
【図２】潜像画像形成領域（３）を示す拡大図。
【図３】潜像画像形成領域（３）を観察した際の観察点（Ｌ１、Ｌ２）を示す模式図。
【図４】第１の潜像画像（４）を示す平面図。
【図５】領域（Ｚ１）を拡大した平面図及び断面図。
【図６】第２の観察点（Ｌ２）から視認された第１の潜像画像（４）を示す平面図。
【図７】凹形状の輪郭部（５ｂ）を示す断面図。
【図８】透かしインキから成る第１の画線（５’）示す模式図。
【図９】厚さ（ｈ２）の異なる第１の画線（５）を示す模式図。
【図１０】一部断面形状が異なる第１の画線（５）を示す断面図。
【図１１】第二実施形態の潜像画像形成領域（３）を示す平面図及び展開図。
【図１２】第二実施形態の潜像画像形成領域（３）における観察点（Ｌ１、Ｌ３）を示す模式図。
【図１３】第２の画像（７）を示す平面図及び断面図。
【図１４】第２の画線（６）の他の断面形状を示す断面図。
【図１５】画素形状の一例を示す平面図。
【図１６】直線状の画線形状である第２の画線（６）を示す平面図。
【図１７】潜像部（１２）と背景部（１３）を示す平面図。
【図１８】潜像部（１２）と背景部（１３）を示す平面図。
【図１９】第１の潜像画像（４）及び第２の画像（７）の配置を示す平面図。
【図２０】領域（Ｚ３）を拡大した平面図及び断面図。
【図２１】底面（Ｆ）を有する第１の画線（５）を示す平面図及び断面図。
【図２２】第３の画像（９）を示す平面図。
【図２３】第３の画線（８）の視認原理を示す図。
【図２４】図１４（ｂ）に示す断面形状の第１の画線（５）が形成された基材（２）に第３の画線（８）が重なる配置の断面図。
【図２５】第１の配置を説明する模式図。
【図２６】第２の配置を説明する模式図。
【図２７】第３の配置を説明する模式図。
【発明を実施するための形態】
【００１３】
（第一の実施形態）
図１は、本発明における透過潜像画像形成体（１）（以下「形成体」という。）の一例を示す平面図である。形成体（１）は、基材（２）上の少なくとも一部に、後述する潜像画像が形成された潜像画像形成領域（３）（以下「形成領域」という。）を有している。なお、図１に示すように、形成領域（３）以外の領域には、料額、文字、他の模様等の必要な情報が、公知の印刷方式（例えば、オフセット印刷、凹版印刷等）により施されてもよい。
【００１４】
基材（２）は、上質紙、コート紙、アート紙等の用紙を用いることができる。ただし、本発明のすき入れ模様を形成するために、凹形状を構成する必要があることから、基材（２）の厚みは２０μｍ〜１０００μｍが好ましい。
【００１５】
図２は、本発明の形成体（１）の形成領域（３）を示す拡大図である。形成領域（３）は、すき入れ模様の第１の潜像画像（４）を有している。なお、詳細は後述するが、図２（ａ）は、第１の画線（５）が第１の方向（Ｓ１）に万線状に配置されているが、この第１の画線（５）は、必ずしも同じ方向である第１の方向（Ｓ１）に配列されていなくてもよく、図５（ｂ）に示すように、異なる方向に第１の画線（５）が配列されていてもよい。以降では、第１の方向（Ｓ１）方向に配列されていることとして説明する。また、本発明における「万線状に配置」とは、複数の画線が重ならないように配列されていることをいう。
【００１６】
図３（ａ）に示すように、形成領域（３）を真上から観察（以下「第１の観察点（Ｌ１）」という。）した場合、有意味情報は視認されないが、透過光下で観察（以下「第２の観察点（Ｌ２）」という。）した場合、第１の潜像画像（４）は、基材（２）の厚みが薄いため、光の透過率が高くなり、すき入れ画像として視認される。次に、第１の潜像画像（４）について、詳細に説明する。
【００１７】
（第１の潜像画像）  
図４は、第１の潜像画像（４）を示す平面図である。第１の潜像画像（４）は、基材（２）よりも、厚みが薄い点線状の第１の画線（５）が、第１の方向（Ｓ１）に第１のピッチ（Ｐ１）で複数配置されて成る。なお、本発明において、「第１の方向」とは、基材（２）に第１の画線（５）が配置される方向のことである。
【００１８】
第１のピッチ（Ｐ１）は、限定されるものではないが、形成体（１）を貴重印刷物とした場合、第１のピッチ（Ｐ１）は、８０μｍ〜１０００μｍの範囲で形成されるのが、好ましい。
【００１９】
第１のピッチ（Ｐ１）を１０００μｍより広くすることも可能であるが、第１の潜像画像（４）を付与する形成領域（３）が大きくなり、貴重印刷物を構成するデザイン、例えば、他の印刷図柄の制約を受けるため、好ましくない。また、第１のピッチ（Ｐ１）を８０μｍより狭くすることも可能であるが、第１の画線（５）は、基材（２）自体の厚さを異ならせて形成するため、第１のピッチ（Ｐ１）が８０μｍより狭いと、製造上困難であり、好ましくない。
【００２０】
図５（ａ）は、図４に示した領域（Ｚ１）の拡大図である。第１の画線（５）は、基材（２）よりも透過率の高い実線部（５ａ）と、実線部（５ａ）の画線長さ方向（Ｓ２）に隣接又は近接して配置された、輪郭部（５ｂ）から成る。なお、図５（ａ）では、実線部（５ａ）は、連続線で形成されているが、これに限定されるものではなく、一つの画線上に配置されるように、点や画素を複数配置して、実線部（５ａ）を構成してもよい。ただし、点や画素で構成する場合に、隣り合う点や画素の間隔は、本発明の特徴点である輪郭部（５ｂ）とは異なるため、その間隔は、輪郭部（５ｂ）よりも狭くしなければならない。
【００２１】
図５（ｂ）は、図５（ａ）のＡ１−Ａ１’断面図である。実線部（５ａ）は、第１の潜像画像（４）を構成する要素であり、基材（２）に対して凹形状で形成される。よって、実線部（５ａ）は、透過光下で、基材（２）よりも明るく（白く）視認される。
【００２２】
実線部（５ａ）が、基材（２）よりも明るく視認されるためには、基材（２）よりも高い透過率が必要である。本発明において、「基材（２）よりも透過率の高い、実線部（５ａ）の透過率」とは、第２の観察点（Ｌ２）において、基材（２）よりも、実線部（５ａ）の明度が５以上高いことをいう。基材（２）と実線部（５ａ）の明度差（ΔＬ）が５以上の場合、第２の観察点（Ｌ２）において、実線部（５ａ）と基材（２）を区分けして視認することが可能となる。
【００２３】
明度差（ΔＬ）は、第２の観察点（Ｌ２）で、測色計を用いて、基材（２）及び実線部（５ａ）の明度（Ｌ）の値をそれぞれ測定する又はスキャナ等で基材（２）及び実線部（５ａ）を透過画像として取り込んだ後、透過画像を画像処理ソフトを用いて、明度（Ｌ）の値をそれぞれ測定することで算出される。
【００２４】
実線部（５）の第１の画線（５）の厚さ（ｈ２）は、限定されるものではないが、前述したような、形成体（１）を貴重印刷物とした場合、３０μｍ〜７０μｍの範囲で形成されるのが好ましい。
【００２５】
厚さ（ｈ２）を７０μｍ以上とすることも可能であるが、基材（２）の厚さ（ｈ１）や基材（２）を構成する材料によっては、基材（２）と実線部（５）の透過率があまり変わらず、透過光下で第１の潜像画像（４）が不鮮明に視認されるため、好ましくない。また、厚さ（ｈ２）を３０μｍ以下とすることも可能であるが、厚さ（ｈ２）が薄くなることで、形成体（１）の耐久性が低下し、好ましくない。
【００２６】
輪郭部（５ｂ）は、第１の潜像画像（４）の輪郭の一部を構成する要素であり、実線部（５ａ）と透過率の異なる凹形状又は凸形状で形成されるが、まず、輪郭部（５ｂ）を凸形状で形成した例について説明する。
【００２７】
輪郭部（５ｂ）は、第２の観察点（Ｌ２）で、実線部（５ａ）と透過率が異なる。よって、第２の観察点（Ｌ２）では、第１の潜像画像（４）が透過率の異なる輪郭部（５ｂ）の一部が強調されて視認されることで、従来より、鮮明なすき入れ模様を視認することが可能となる。
【００２８】
本発明において「異なる透過率」とは、実線部（５ａ）と輪郭部（５ｂ）の明度差（ΔＬ）が５以上であることをいう。実線部（５ａ）と輪郭部（５ｂ）の明度差（ΔＬ）が５以上の場合、第２の観察点（Ｌ２）である透過光下で観察した場合、実線部（５ａ）と輪郭部（５ｂ）を肉眼で区分けして視認することが可能となる。
【００２９】
なお、明度差（ΔＬ）の測定方法は、前述した基材（２）及び実線部（５ａ）と同様であることから説明を省略する。
【００３０】
加えて、第１の潜像画像（４）は、従来のすき入れ模様と比べて、透かしインキを用いた偽造防止効果に優れた模様とするために、輪郭部（５ｂ）の画線長さ（Ｘ１）と基材（２）の厚さ（ｈ１）の関係は、Ｘ１＜ｈ１×２の式が成立するように配置される。なお、輪郭部（５ｂ）の画線長さ（Ｘ１）についての下限は、特に限定するものではなく、輪郭部（５ｂ）が形成可能な長さであればよい。
【００３１】
この輪郭部（５ｂ）の画線長さ（Ｘ１）と基材（２）の厚さ（ｈ１）の関係は、第１の画線（５）の実線部（５ａ）を疑似的に透かしインキ用いて再現しようとした場合、透かしインキは、基材（２）の厚さ（ｈ１）方向に浸透することで繊維間の空隙を埋め、透過率を増やすことができるが、同時に基材（２）の第１の方向（Ｓ１）及び画線長さ方向（Ｓ２）方向についても同程度に透かしインキが浸透することとなる。よって輪郭部（５ｂ）に隣接する実線部（５ａ）は、共に基材（２）の厚さ（ｈ１）分の透明インキが滲み、輪郭部（５ｂ）を再現できないことから、輪郭部（５ｂ）の画線長さ（Ｘ１）は、基材（２）の厚さ（ｈ１）の２倍以下の比率で構成することで、透明インキによる偽造を防止できる。
【００３２】
図４では、配置されている全ての第１の画線（５）が輪郭部（５ｂ）を有しているが、必ずしも、第１の潜像画像（４）を構成する第１の画線（５）に輪郭部（５ｂ）を有している必要はなく、第１の潜像画像（４）を構成する少なくとも一つの第１の画線（５）が有していればよい。あくまでも、本発明の課題としては、画線から成るすき入れ画像を、透かしインキにより偽造することを防止するものであるため、透かしインキでは形成不可能な輪郭部（５ｂ）が一つでも第１の潜像画像（４）を構成している画線にあれば、それは真正の本発明の形成体（１）であることが証明可能である。ただし、更なる画像効果を奏するには、図４に示すように、全ての第１の画線（５）が輪郭部（５ｂ）を有していると、第１の潜像画像（４）の形状を鮮明に表現することができ、好ましい。以下、全ての第１の画線（５）が輪郭部（５ｂ）を有していることとして説明する。
【００３３】
なお、図５（ｂ）では、輪郭部（５ｂ）の厚さ（ｈ４）が、基材（２）の厚さ（ｈ１）と同じであるが、これに限らず、実線部（５）と異なる透過率であれば、基材（２）と異なる厚さ、例えば、基材（２）よりも厚く又は薄くすることも可能である。
【００３４】
図６は、第２の観察点（Ｌ２）から視認された第１の潜像画像（４）を示す平面図である。図５を用いて前述したように、実線部（５ａ）と輪郭部（５ｂ）から成る第１の画線（５）を配置することで、第２の観察点（Ｌ２）では、図６に示す第１の潜像画像（４）が視認可能となる。なお、図６において輪郭部（５ｂ）は、花びらの一部に黒色の細線を構成している。輪郭部（５ｂ）を、実線部（５ａ）と透過率の異なる凸形状で形成した場合、実線部（５ａ）よりも、輪郭部（５ｂ）が暗く（黒く）視認される。よって、図６に示すように、４枚の白い花びらから成る第１の潜像画像（４）の輪郭の一部が、白い花びらよりも暗い黒色で視認される。
【００３５】
次に、輪郭部（５ｂ）を、実線部（５ａ）と透過率の異なる凹形状で形成した場合について説明する。図７は、輪郭部（５ｂ）を凹形状とした場合の、図５（ａ）におけるＡ１−Ａ１’断面図である。輪郭部（５ｂ）の厚さ（ｈ４）は、凹形状の実線部（５ａ）よりも、薄く形成する。
【００３６】
輪郭部（５ｂ）を、実線部（５ａ）と透過率の異なる凹形状で形成した場合、視認される第１の潜像画像（４）の輪郭部（５ｂ）は、図６に示した、黒色ではなく、実線部（５ａ）よりも、白く（明るく）視認される。よって、図示しないが、４枚の白い花びらから成る第１の潜像画像（４）の輪郭の一部が、白い花びらよりも明るい白色で視認される。
【００３７】
なお、輪郭部（５ｂ）を凹形状とした場合、実線部（５ａ）よりも薄く、かつ、基材（２）を貫通しない厚さであれば、厚さ（ｈ４）は、限定されるものではないが、前述したような形成体（１）を貴重印刷物とした場合、３０μｍ〜７０μｍの範囲で形成され、かつ、実線部（５ａ）の厚さ（ｈ２）と３０μｍ以上異なるのが、好ましい。
【００３８】
厚さ（ｈ２）を７０μｍ以上とすることも可能であるが、基材（２）の厚さ（ｈ１）及び実線部（５ａ）の厚さ（ｈ２）によっては、基材（２）、実線部（５）及び輪郭部（５ｂ）の透過率があまり変わらず、透過光下で第１の潜像画像（４）が不鮮明に視認されるため、好ましくない。また、厚さ（ｈ２）を３０μｍ以下とすることも可能であるが、厚さ（ｈ２）が薄くなることで、形成体（１）の耐久性が低下し、好ましくない。
【００３９】
また、輪郭部（５ｂ）の厚さ（ｈ４）を、実線部（５ａ）の厚さ（ｈ２）に対して３０μｍ未満とすることも可能であるが、基材（２）に用いる用紙によっては、実線部（５ａ）と輪郭部（５ｂ）の透過率があまり変わらず、透過光下で濃淡のない等色の白色として視認されため、第１の潜像画像（４）が不鮮明となり、好ましくない。
【００４０】
図８は、第１の画線（５’）を透かしインキで構成した場合を説明する模式図であり、図８（ａ１）は、透かしインキから成る第１の画線（５’）を示す平面図であり、図８（ａ２）は図８（ａ１）のＸ２−Ｘ２’断面図である。図８（ａ１）及び図８（ａ２）に示すように、第１の画線（５）を透かしインキを用いて再現しようとした場合、透かしインキが基材（２）に浸透することで、隣り合う実線部（５ａ’−１）と実線部（５ａ’−２）が滲むことで、隣り合う実線部（５ａ’−１）及び実線部（５ａ’−２）の間に配置される必要のある、輪郭部（５ｂ’）が消失する。
【００４１】
よって、透過光下では、図６に示した、第１の潜像画像（４）の輪郭の一部である、輪郭部（５ｂ）から成る花びら内の黒色の細線が、図８（ａ３）に示すように消失するため、輪郭部（５ｂ）を凹形状又は凸形状で構成した本発明の第１の潜像画像（４）とは異なる画像（４Ｉ）が視認されるため、真偽判別を容易に行うことが可能となる。
【００４２】
輪郭部（５ｂ）の画線長さ（Ｘ１）は、輪郭部（５ｂ）の画線長さ（Ｘ１）と基材（２）の厚さ（ｈ１）の関係が、Ｘ１＜ｈ１×２の式が成立するように配置されていれば、複数配置された輪郭部（５ｂ）において、画線長さ（Ｘ１）は、同じ長さでも、少なくとも二つ以上異なる長さでもよいが、全て同じ画線長さ（Ｘ１）で形成されることが、より好ましい。
【００４３】
透かしインキは、基材（２）に印刷されると、透かしインキが基材（２）に浸透する。その際「にじみ」が発生するが、同じ透かしインキ及び同じ基材（２）を用いたとしても、複数配置した輪郭部（５ｂ）において、同じ形状の「にじみ」とすることは、極めて難しい。よって、複数の輪郭部（５ｂ）の画線長さ（Ｘ１）を、全て同じ長さで形成することで、透かしインキを用いて、輪郭部（５ｂ）を再現しようとした場合、複数の輪郭部（５ｂ）において、「にじみ」の度合いに差が生じ、透過光下で偽造品を観察した場合、より画像（４Ｉ）に違和感が生じることから、形成体（１）の偽造抵抗力が、向上する。
【００４４】
なお、図５（ｂ）では、第１の潜像画像（４）を構成する第１の画線（５）の実線部（５ａ）の厚さ（ｈ２）は一定である。第１の画線（５）の厚さ（ｈ２）を一定とした場合、透過光下で第１の潜像画像（４）は、階調を有しないすき入れ模様として視認される。第１の潜像画像（４）を形成する第１の画線（５）の厚さ（ｈ２）又は断面形状を変化させることで、第１の潜像画像（４）は、階調を有するすき入れ模様として視認される。なお、第１の画線（５）の幅（Ｗ１）とは、第１の画線（５）における第１の方向（Ｓ１）の幅とする。
【００４５】
例えば、図９（ａ）に示す第１の潜像画像（４）は、図９（ｂ）のＢ−Ｂ’断面図に示すように、第１の画線（５）が、厚さ（ｈ２）の異なる、二種類の第１の画線（５−１、５−２）から成る。第１の画線（５−１）は、第１の画線（５−２）と比べて厚いため、透過光量が少なくなる。よって、透過光下で、第１の画線（５−２）と比べて、第１の画線（５−１）は黒く（暗く）視認されることから、第１の潜像画像（４）は、階調を有するすき入れ模様として視認される。
【００４６】
次に、断面形状を異ならせることにより、第１の潜像画像（４）に階調を付与した構成について説明する。
【００４７】
図１０は、第１の潜像画像（４）を形成する第１の画線（５）の他の断面形状を示す断面図である。図１０（ａ）、図１０（ｂ）、図１０（ｃ）及び図１０（ｄ）は、前述した図９（ｂ）の断面図と同様に、基材（２）を第１の方向（Ｓ１）に対して平行に切断した断面図である。
【００４８】
図１０（ａ）、図１０（ｂ）、図１０（ｃ）及び図１０（ｄ）に示すように、複数の第１の画線（５）は、少なくとも一つの第１の画線（５）の幅（Ｗ１）又は厚さ（ｈ２）を、他の第１の画線（５）と異ならせることにより、第１の画線（５）の透過率に差を生じさせることが可能である。
【００４９】
なお、幅（Ｗ１）及び厚さ（ｈ２）は、どちらか一方のみを異ならせた構成でも、両方を異ならせた構成でもよい。さらには、図示しないが、一つの第１の画線（５）内で、幅（Ｗ１）及び厚さ（ｈ２）を異ならせることも可能である。一つの第１の画線（５）内で、幅（Ｗ１）及び厚さ（ｈ２）を異ならせることにより、一つの第１の画線（５）内で透過率を変化させることが可能となる。
【００５０】
以上、第１の画線（５）は、幅（Ｗ１）及び断面形状を異ならせた場合、その形状の変化に対応し、透過率が異なり濃淡が生じて視認される。それにより、階調を有する第１の潜像画像（４）を形成することが可能となる。
【００５１】
次に、第１の画線（５）の形成方法について説明する。第１の画線（５）は、基材（２）上に、すき入れ、レーザ加工等、基材（２）と透過率を異ならせることが可能な形成方法にて付与される。
【００５２】
すき入れによる第１の画線（５）の形成は、基材（２）を紙とした際の抄紙工程で、すき入れを施すことが可能な公知の抄紙機を用いて形成される。また、レーザ加工による第１の画線（５）の形成は、公知のレーザ加工装置を用いて基材（２）の一部を除去することで形成する。基材（２）に対し、第１の画線（５）の周囲をレーザ加工により除去することで形成した場合、除去した領域は、第１の画線（５）より薄く（凹形状）なる。
【００５３】
以上、第一実施形態の形成体（１）は、第２の観察点（Ｌ２）である透過光下で観察した場合、微細な凹形状又は凸形状の画線から成るすき入れ模様である第１の潜像画像（４）が視認されるとともに、第１の潜像画像（４）を透かしインキを用いて再現しようとした場合には、透かしインキのにじみにより、輪郭の一部が消失することから、同じ形状の画像として再現することが困難となる。よって、従来よりも、偽造抵抗力が優れたすき入れ模様を有する形成体（１）となる。
【００５４】
（第二の実施形態）
図１１（ａ）は、第二の実施形態における形成体（１）の形成領域（３）を示す平面図である。なお、第一の実施形態と同様の内容についての説明は、省略する。
【００５５】
第一の実施形態では、形成領域（３）内に、第１の潜像画像（４）のみ形成されていたが、第二の実施形態における形成領域（３）は、図１１（ｂ）に示す第１の潜像画像（４）に加え、図１１（ｃ）に示す凸形状の複数の第２の画線（６）から成る第２の画像（７）と、図１１（ｄ）に示す印刷画線である複数の第３の画線（８）から成る第３の画像（９）が組み合わされて形成されている。
【００５６】
第二の実施形態は、第一の実施形態と同様に、形成領域（３）を透過光下で観察した場合、第１の潜像画像（４）が視認できるが、加えて、図１２（ａ）に示すように、第１の観察点（Ｌ１）である正面から観察した場合、基材（２）と異なる色で第３の画像（９）が可視画像として視認でき、更に、斜めからの観察（以下「第３の観察点（Ｌ３）」という。）では、図１２（ｂ）に示すように、第２の画線（６）と第３の画線（８）の配置により、第３の画像（９）の色が視認できる部分と、第３の画像（９）の色が視認できない部分が生じ、第２の潜像画像（１０）である「ＪＰＮ」が視認できるものである。
【００５７】
つまり、第二実施形態の形成体（１）は、観察方法により、最大で三つの異なる画像を視認可能な形成領域（３）を備えている。以下、形成領域（３）に形成されている第２の画像（７）、第１の潜像画像（４）及び第３の画像（９）について、詳細に説明する。
【００５８】
（第２の画像）  
まず、第２の画像（７）について説明する。第２の画像（７）は、図１３（ａ）に示すように、第２の画線（６）が、前述した第１の潜像画像（４）を構成する第１の画線（５）と同じ方向である、第１の方向（Ｓ１）に、第１の画線（５）と同じピッチである第１のピッチ（Ｐ１）で複数配置されて成る。
【００５９】
第２の画像（７）は、図１３（ａ）のＡ−Ａ’線の断面図である図１３（ｂ）に示すように、透過画像である第１の潜像画像（４）を構成する凹形状の複数の第１の画線（５）の各画線間に形成された、凸形状の複数の第２の画線（６）から成る。
【００６０】
第二の実施形態の形成体（１）は、透過光下に加え、新たに正面からの観察である第１の観察点（Ｌ１）で視認可能な第３の画像（９）と、斜めからの観察である第３の観察点（Ｌ３）で視認可能な第２の潜像画像（１０）が付与されている。凹形状の第１の画線（５）間に、凸形状の第２の画線（６）が形成されることで、第１の画線（５）、第２の画線（６）及び基材（２）の透過率が互いに異なり、透過画像である第１の潜像画像（４）が視認されるとともに、斜めから観察されることで、凸形状の第２の画線（６）の死角に第３の画線（８）の一部が配置されることで、第２の潜像画像（１０）を視認することが可能となる。
【００６１】
なお、第２の画線（６）の断面形状は、図１３（ｂ）に示す半円状に限らず、図１４（ａ）に示す三角形状や、図１４（ｂ）に示す台形形状としてもよい。
【００６２】
第２の画線（６）の形成方法は、エンボス加工や、盛り上がりを有する印刷画線を得られる公知の印刷方法（例えば、凹版印刷、スクリーン印刷、ＵＶ-ＩＪＰ等）とする。また、凸形状を形成するために他を除去して凸形状を残すことでも、第２の画線（６）を形成することが可能である。例えば、抄紙工程におけるすき入れや、基材（２）の一部をレーザ加工によって除去することで形成することができる。
【００６３】
第２の画線（６）の断面形状は、図１３及び図１４に示す形状に限定されるものではなく、第１の観察点（Ｌ１）から観察したときに、凸形状の表面全面が観察でき、第３の観察点（Ｌ３）から観察したときに、凸形状の場合、手前側となる表面が観察でき、奥側となる表面が観察できない形状であればよい。なお、第３の観察点（Ｌ３）から観察したときの凸形状の表面の見え方についての詳細は、後述する。
【００６４】
第２の画線（６）は、図１３（ａ）において、画線で構成しているが、それに限らず、画線、複数の画素の少なくとも一つ又はそれぞれの組み合わせで構成してもよい。本発明において、「画線」とは、直線、破線、波線等のことであり、「画素」とは、所定の形状を有する文字、数字、記号、図形、マーク等のことである。
【００６５】
図１５は、画素（６ａ）の形状を示す一例である。複数の画素（６ａ）を用いて第２の画線（６）を形成する場合、肉眼で画線と視認できるように、複数の画素（６ａ）が画線状に配置される必要がある。以下、本実施の形態については、第２の画線（６）を、図１３（ａ）に示す直線として説明する。
【００６６】
図１６に示すように、第２の画線（６）の幅（Ｗ２）は、第２の画線（６）における第１の方向（Ｓ１）の幅（Ｗ２）とする。第２の画線（６）の幅（Ｗ２）は、後述する潜像部（１１）及び背景部（１２）の区分けができ、かつ、第２の潜像画像（１０）が鮮明に視認できるように、第１のピッチ（Ｐ１）に対応して形成される。
【００６７】
第１のピッチ（Ｐ１）に対応した第２の画線（６）の幅（Ｗ２）の範囲は、第１のピッチ（Ｐ１）に対し、１／５〜４／５の広さの範囲が好ましく、例えば、第１のピッチ（Ｐ１）が８０μｍのとき、第２の画線（６）の幅（Ｗ２）は、１６μｍ〜６４μｍとし、第１のピッチ（Ｐ１）が１０００μｍのとき、第２の画線（６）の幅（Ｗ２）は、２００μｍ〜８００μｍとする。このように、第１のピッチ（Ｐ１）に対し、第２の画線（６）の幅（Ｗ２）を、後述する第３の画線（８）を印刷した後の第２の潜像画像（１０）の視認性を鑑みて適宜調整すればよい。
【００６８】
凸形状の第２の画線（６）の厚さ（ｈ３）は、１０μｍ〜１００μｍの範囲で形成される。
【００６９】
第２の画線（６）の厚さ（ｈ３）を、１０μｍより低くしても、第２の潜像画像（１０）は形成可能だが、第２の潜像画像（１０）が視認できる範囲が狭くなるため、好ましくない。また、第２の画線（６）の厚さ（ｈ３）を１００μｍより高くすることも可能だが、基材（２）が必要以上に厚くなり、加工効率が悪くなるという問題が生じるため、好ましくない。
【００７０】
なお、第一の実施形態では、第１の画線（５）における輪郭部（５ｂ）は凹形状でも、凸形状でもよいとしていたが、第二の実施形態では、凸形状とする場合、輪郭部（５ｂ）の厚さ（ｈ４）は、基材の厚さ（ｈ１）と第２の画線（６）の厚さ（ｈ４）を足した厚さよりも、低く形成する必要がある。輪郭部（５ｂ）の厚さ（ｈ４）を、基材の厚さ（ｈ１）と第２の画線（６）の厚さ（ｈ４）を足した厚さと同じ又は高く形成した場合、第３の観察点（Ｅ３）から、視認した際に、第２の画線（６）及び後述する第３の画線（８）が、輪郭部（５ｂ）の影となり、視認されないことで、第２の潜像画像（１０）の一部に欠けが生じることから、好ましくない。
【００７１】
以上のように、第２の画線（６）から成る第２の画像（７）は、規則的に配置された第２の画線（６）の位相が部分的に異なることで、潜像部（１１）と背景部（１２）に区分けされる。
【００７２】
図１７（ａ）は、潜像部（１１）と背景部（１２）を示す平面図である。潜像部（１１）は、規則的に配置された第２の画線（６）の位相が部分的に異なることで形成した有意味情報であり、背景部（１２）は、潜像部（１１）の周囲に配置された背景となる部分である。なお、潜像部（１１）の形状は、図１７（ａ）に示す「ＪＰＮ」の文字に限定されず、有意味情報であれば、数字、記号、図形、マーク等で形成されてもよい。
【００７３】
図１７（ｂ）は、図１７（ａ）に示す領域（Ｚ２）の拡大図であり、潜像部（１１）を構成する第２の画線（６）を潜像画線（１１Ａ）とし、背景部（１２）を構成する第２の画線（６）を背景画線（１２Ａ）とする。なお、潜像画線（１１Ａ）は、背景画線（１２Ａ）に対し、第１の方向（Ｓ１）とは反対方向である下側に位相を異ならせてもよい。
【００７４】
また、潜像画線（１１Ａ）及び背景画線（１２Ａ）は、図１７（ｂ）に示すように、離れていても、図１８（ａ）又は図１８（ｂ）に示すように、繋がっていてもどちらでもよい。
【００７５】
（第１の潜像画像と第２の画像の配置）
次に、第１の潜像画像（４）と第２の画像（７）の配置について説明する。
【００７６】
図１９は、形成領域（３）内に、第１の潜像画像（４）と第２の画像（７）が配置されている状態を示す平面図である。第１の潜像画像（４）は、第２の画像（７）内に配置される。
【００７７】
図２０（ａ）は、図１９に示す領域（Ｚ３）の拡大図である。第２の画線（６）は、万線状に配置された第１の画線（５）の間に配置される。それにより、図２０（ａ）のＣ−Ｃ’断面図である、図２０（ｂ）に示すように、複数の第２の画線（６）の各画線間には、第２の画線（６）よりも透過率が高い底部（Ｕ）が存在し、更に、底部（Ｕ）には、底部（Ｕ）よりも透過率が高い第１の画線（５）が配置される。
【００７８】
よって、透過光下である第１の観察点（Ｌ１）で観察した際には、第２の画線（６）及び底部（Ｕ）と比べて、第１の画線（５）が最も透過率が高く視認されることから、万線状のすき入れ模様内に、複数の第１の画線（５）から成る第１の潜像画像（４）を視認することが可能となる。
【００７９】
なお、凹形状の第１の画線（５）の間に、凸形状の第２の画線（６）を配置する場合、第１の画線（５）は、図２１（ａ）及び図２１（ｂ）に示すように、隣り合う第２の画線（６）の凸形状間に、底面（Ｆ）を有して凹形状の第１の画線（５）を形成してもよい。
【００８０】
底面（Ｆ）は、第１の方向（Ｓ１）に隣り合う第２の画線（６）の間の距離（Ｙ）から、第１の画線（５）を除いたものである。底面（Ｆ）の幅（Ｗ１Ｔ）は、第１のピッチ（Ｐ１）から第２の画線（６）の幅（Ｗ２）を引いた幅である第２の画線（６）の間の距離（Ｙ）より狭ければ、特に制限を受けるものではない。例えば、第１のピッチ（Ｐ１）が１０００μｍ、第２の画線（６）の幅（Ｗ２）が４００μｍであった場合、底面（Ｆ）の幅（Ｗ１Ｔ）は６００μｍより狭いものであればよい。なお、底面（Ｆ）は、前述したように、第２の画線（６）と第１の画線（５）の間の部分だけを示す。
【００８１】
（第３の画像）
次に、可視画像である第３の画像（９）について説明する。第３の画像（９）は、図２２に示すように、第３の画線（８）が第２のピッチ（Ｐ２）で第３の方向（Ｓ３）に複数配置されて成る。本発明において、「第３の方向（Ｓ３）」とは、第３の画線（８）が配置される方向のことである。また、第３の画線（８）における第３の方向（Ｓ３）の幅を第３の画線（８）の幅（Ｗ３）とする。
【００８２】
第３の画線（８）は、前述した第２の画線（６）と同様に、画線、複数の画素又はこれらの組合せで形成される。
【００８３】
第２のピッチ（Ｐ２）は、第１のピッチ（Ｐ１）と略同じ広さで形成される。略同じ広さとは、第１のピッチ（Ｐ１）に対し、４／５〜６／５の広さの範囲である。好ましくは、同じピッチとするのがよい。これは、第１のピッチ（Ｐ１）と第２のピッチ（Ｐ２）が同じ場合、第２の画線（６）と第３の画線（８）が必ず一定の間隔で重なるため、第２の潜像画像（１０）を視認しやすいからである。
【００８４】
第３の画線（８）の幅（Ｗ３）は、少なくとも１０μｍより広く、上限は、第１のピッチ（Ｐ１）に対し、９／１０の広さの範囲で形成される。これは、第３の画線（８）の幅（Ｗ３）が第１のピッチ（Ｐ１）に対して９／１０より広いと、潜像画線（１１Ａ）、背景画線（１２Ａ）に第３の画線（８）が重なるので、コントラストが得られず第２の潜像画像（１０）が視認できないからである。また、第３の画線（８）の幅（Ｗ３）が１０μｍより狭いと、第２の画線（６）と第３の画線（８）の重なる面積が小さいため、第２の潜像画像（１０）の視認性が低下し、好ましくない。
【００８５】
第１の画線（５）及び第２の画線（６）を配置する第１の方向（Ｓ１）と、第３の画線（８）を配置する第３の方向（Ｓ３）は、同じ方向でも異なる方向でもよいが、異なる方向とする場合は、第１の方向（Ｓ１）と第３の方向（Ｓ３）は、±０．５度から±３度の範囲で形成される。±０．５度から±３度の範囲とすることで、第２の潜像画像（１０）が視認しやすくなる。
【００８６】
第３の画像（９）は、第２の潜像画像（１０）よりも大きく形成され、かつ、潜像部（１１）と背景部（１２）を覆うように配置される。これは、潜像部（１１）と背景部（１２）に第３の画像（９）が重ならない部分があると、第２の潜像画像（１０）全体を視認できないからである。
【００８７】
第３の画像（９）を形成する第３の画線（８）の色は、基材（２）と異なる色であればよく、特に限定されるものではない。
【００８８】
第３の画線（８）の形成方法は、オフセット印刷、グラビア印刷、インクジェット印刷等の公知の印刷方法、レーザ加工等を用いることができる。なお、印刷によって第３の画像（９）が形成される場合、第３の画線（８）はインキから成り、レーザ加工によって第３の画像（９）が形成される場合、第３の画線（８）は基材（２）がレーザにより変色されて成る。
【００８９】
次に、第３の観察点（Ｌ３）である、傾けて観察した場合に視認できる第２の潜像画像（１０）について、図２３及び図２４を用いて説明する。なお、第１の画線（５）は除外して、第２の潜像画像（１０）の視認原理について説明する。
【００９０】
図２３（ａ）は、一例として凸形状であり、かつ、断面形状が半円形状の第２の画線（６）と第３の画線（８）が重なって配置された一例を示す平面図であり、その一部を拡大したものである。なお、Ｌ−Ｌ’線は、凸形状の第２の画線（６）の頂点（Ｑ）の位置を示しており、本発明において、「凸形状の頂点」とは、基材（２）を第３の観察点（Ｌ３）から観察したときに凸形状の第２の画線（６）の手前側となる面のうち、最も高い部分のことである。
【００９１】
図２３（ａ）に示す配置では、第３の画線（８）が、第２の画線（６）の頂点（Ｑ）を境とし、第２の画線（６）の表面の半分に重なる状態を示している。このとき、第１の観察点（Ｌ１）から観察した場合、第３の画線（８）を視認することができる。
【００９２】
一方、第３の観察点（Ｌ３）から観察した場合、第２の画線（６）の頂点（Ｑ）を境とし、手前側となる第２の画線（６）の表面では視認することができるが、奥側の表面は第２の画線（６）の裏側にあたり、死角となることから視認することができない。
【００９３】
また、基材（２）の平らな部分は、第２の画線（６）の死角となり基本的に視認することができないが、第２の画線（６）の頂点（Ｑ）を境とし、手前側となる第２の画線（６）の表面に近い側の部分は、第２の画線（６）の形状や第２のピッチ（Ｐ２）及び画線の幅（Ｗ２）によって、視認できることもある。
【００９４】
また、第２の画線（６）の頂点（Ｑ）を境とし、手前側となる第２の画線（６）の表面で視認できる範囲も、第２の画線（６）の形状、第２のピッチ（Ｐ２）及び第２の画線（６）の幅（Ｗ２）によって若干の差はあるが、以降、第２の画線（６）の頂点（Ｑ）を境とし、手前側となる第２の画線（６）の表面のみが視認できるものとし、第３の観察点（Ｌ３）から観察した際に、第２の画線（６）の頂点（Ｑ）を境とし、手前側となる第２の画線（６）の表面のことを「観察部（Ｅ）」、奥側となる第２の画線（６）の表面及び基材（２）の平らな部分のことを「非観察部（Ｅ’）」として説明する。
【００９５】
前述した、図１４（ｂ）に示した、断面形状が台形形状の第２の画線（６）が形成される場合、観察部（Ｅ）と非観察部（Ｅ’）の範囲が異なるので、次に説明する。
【００９６】
図２４は、図１４（ｂ）に示した台形形状の断面形状を有する第２の画線（６）が形成された基材（２）に、第３の画線（８）が重なる配置の断面図である。このとき、第３の観察点（Ｌ３）から観察すると、手前側となる第２の画線（６）の表面（Ｅ１）と第２の画線（６）の上面（Ｅ２）に形成された第３の画線（８）を視認することができる。
【００９７】
しかし、第２の画線（６）の上面（Ｅ２）に形成される第３の画線（８）は、手前側となる第２の画線（６）の表面（Ｅ１）に形成される第３の画線（８）に対して視認性が弱く、第２の潜像画像（１０）の視認性への影響は小さいため、手前側となる第２の画線（６）の表面（Ｅ１）に重なる第３の画線（８）により、第２の潜像画像（１０）が視認される。
【００９８】
したがって、図２４に示す第２の画線（６）は、第３の観察点（Ｌ３）から観察した際に、手前側となる第２の画線（６）の表面（Ｅ１）が観察可能となる。また、図２４に示す第２の画線（６）の非観察部（Ｅ’）の範囲は、頂点（Ｑ）を境とし、奥側となる第２の画線（６）の表面、第２の画線（６）の上面（Ｅ２）及び基材（２）の平らな部分となる。
【００９９】
このように、第３の画線（８）が、第２の画線（６）の観察部（Ｅ）に重なる場合、第３の観察点（Ｌ３）から第３の画線（８）を視認することができ、第２の画線（６）の観察部（Ｅ）に重ならない第３の画線（８）は、視認することができない。
【０１００】
第２の潜像画像（１０）は、以上の視認原理を利用しており、第２の画像（７）の潜像画線（１１Ａ）及び背景画線（１２Ａ）を異なる位相で配置することで、第２の画線（６）と第３の画線（８）の重なり方が異なり、その結果、第３の観察点（Ｌ３）から観察したとき、第２の潜像画像（１０）が視認される。
【０１０１】
次に、潜像画線（１１Ａ）及び背景画線（１２Ａ）を構成する第２の画線（６）と第３の画線（８）の具体的な配置と、第３の観察点（Ｌ３）から視認できる第２の潜像画像（１０）ついて説明する。なお、第１の画線（５）は除外して第２の潜像画像（１０）の視認原理について説明する。また、第２の潜像画像（１０）を、図２５、図２６及び図２７では、ローマ字の「Ａ」という有意味情報とした一例について、説明する。
【０１０２】
まず、図２５を用いて、第１の配置について説明する。図２５（ａ）は、第１の配置である、第３の画線（８）が、潜像画線（１１Ａ）の全体及び背景画線（１２Ａ）の観察部（Ｅ）の一部に重なる状態を示している。また、背景画線（１２Ａ）の観察部（Ｅ）に重なる第３の画線（８）の面積率が、潜像画線（１１Ａ）の観察部（Ｅ）に重なる第３の画線（８）の面積率より小さい状態を示している。
【０１０３】
第１の配置の形成体（１）を第３の観察点（Ｌ３）から観察した場合、潜像画線（１１Ａ）の観察部（Ｅ）と背景画線（１２Ａ）の観察部（Ｅ）に第３の画線（８）が重なるため、潜像部（１１）と背景部（１２）が第３の画線（８）の色で視認できる。このとき、背景画線（１２Ａ）の観察部（Ｅ）に重なる第３の画線（８）の面積率が、潜像画線（１１Ａ）の観察部（Ｅ）に重なる第３の画線（８）の面積率より小さいため、図２５（ｂ）に示すように、第２の潜像画像（１０）として背景部（１２）は潜像部（１１）より明るい色で視認できる。
【０１０４】
次に、図２６を用いて、第２の配置について説明する。図２６（ａ）は、第２の配置である第３の画線（８）が、潜像画線（１１Ａ）の観察部（Ｅ）の少なくとも一部に重なり、背景画線（１２Ａ）の観察部（Ｅ）に重ならない配置を示す。
【０１０５】
第２の配置の形成体（１）を第１の観察点（Ｌ１）から観察した場合、潜像画線（１１Ａ）の観察部（Ｅ）に第３の画線（８）が重なっているため、潜像部（１１）が第３の画線（８）の色で視認できる。その結果、図２６（ｂ）に示すように第２の潜像画像（１０）として潜像部（１１）のみが、第３の画線（８）の色で視認できる。
【０１０６】
次に、図２７を用いて、第３の配置について説明する。図２７（ａ）は、第３の配置である、第３の画線（８）が背景画線（１２Ａ）の観察部（Ｅ）の少なくとも一部に重なり、潜像画線（１１Ａ）の観察部（Ｅ）に重ならない配置を示す。
【０１０７】
第３の配置の形成体（１）を第３の観察点（Ｌ３）から観察した場合、背景画線（１２Ａ）の観察部（Ｅ）と第３の画線（８）が重なっているため、背景部（１２）が第３の画線（８）の色で視認できる。その結果、図２７（ｂ）に示すように第２の潜像画像（１０）として背景部（１２）のみが第３の画線（８）の色で視認できる。
【０１０８】
つまり、第２の画線（６）と、第３の画線（８）との位置関係が、第１の配置、第２の配置、第３の配置いずれの位置関係であっても、第２の潜像画像（１０）を視認することが可能である。このことから、製造時における第２の画線（６）と第３の画線（８）との位置合わせに高い精度を必要としないため、生産性に優れている。
【０１０９】
以上の構成と、各画像の観察原理により、第二の実施形態の形成体（１）を、第２の観察点（Ｌ２）である透過光下で観察した場合には、すき入れ模様として花の形状である第１の潜像画像（４）が視認され、第１の観察点（Ｌ１）である正面から観察した場合には、万線状の第２の画像（７）が視認され、更に、第３の観察点（Ｌ３）である可視光源下で傾けて観察した場合には、第１の潜像画像（４）とは異なる図柄の「ＪＰＮ」の文字である第２の潜像画像（１０）が視認できる。
【符号の説明】
【０１１０】
１          透過潜像画像形成体
２          基材
３          潜像画像形成領域
４          第１の潜像画像
５          第１の画線
５ａ          実線部
５ｂ          輪郭部
６          第２の画線
６ａ          画素
７          第２の画像
８          第３の画線
９          第３の画像
１０          第２の潜像画像
１１          潜像部
１１Ａ          潜像画線
１２          背景部
１２Ａ          背景画線
Ｌ１          第１の観察点
Ｌ２          第２の観察点
Ｌ３          第３の観察点
Ｓ１          第１の方向
Ｓ２          画線長さ方向
Ｓ３          第３の方向
【図１】
2018012194.tif 000003
【図２】
2018012194.tif 000004
【図３】
2018012194.tif 000005
【図４】
2018012194.tif 000006
【図５】
2018012194.tif 000007
【図６】
2018012194.tif 000008
【図７】
2018012194.tif 000009
【図８】
2018012194.tif 000010
【図９】
2018012194.tif 000011
【図１０】
2018012194.tif 000012
【図１１】
2018012194.tif 000013
【図１２】
2018012194.tif 000014
【図１３】
2018012194.tif 000015
【図１４】
2018012194.tif 000016
【図１５】
2018012194.tif 000017
【図１６】
2018012194.tif 000018
【図１７】
2018012194.tif 000019
【図１８】
2018012194.tif 000020
【図１９】
2018012194.tif 000021
【図２０】
2018012194.tif 000022
【図２１】
2018012194.tif 000023
【図２２】
2018012194.tif 000024
【図２３】
2018012194.tif 000025
【図２４】
2018012194.tif 000026
【図２５】
2018012194.tif 000027
【図２６】
2018012194.tif 000028
【図２７】
2018012194.tif 000029